(57)【要約】【課題】  簡単な構成によって瞬時点灯に対応することができるメタルハライドランプを提供する。【解決手段】  ランプ本体１と接続されかつこれを支持する絶縁性片口金２内に化学絶縁性の補強兼用シート部材３を充填してランプ本体の支持を補強しており、ランプ本体の外管４内に配置してある発光管５内の電極６，７にこの発光管を支持している第１及び第２の導電性金属線１０，１１が電気的に接続し、第１及び第２の導電性金属線の下端部側の導電線１４，１５が外管４の固定端部４ａから突出し、絶縁性片口金２の外底面の端子ピン１６，１７に挿入されており、導電線１４，１５の端部であって、外管の固定端部４ａと絶縁性片口金２の内底面との間に露出されている露出部分１４ａ，１５ａの対向間は、補強兼用シート部材３が充填されており、両露出部分間が絶縁状態に封止されている。【選択図】        図１
2006331932.tif 000002
【特許請求の範囲】
【請求項１】
消費電力が１００Ｗ以下であって、一端に２本の端子ピンを備えている絶縁性片口金型メタルハライドランプにおいて、
ランプ本体と、このランプ本体と接続されかつこれを支持する絶縁性片口金と、この絶縁性片口金内に充填され上記ランプ本体の支持を補強するための化学絶縁性の補強兼用シート部材とを具備しており、
上記ランプ本体は、外管と、この外管内に設けてあって、内部が対向する電極を有しているセラミック放電室である発光管と、一方の電極に通じている第１の導電体及び上記他方の電極に通じている第２の導電体と、一端部側で上記第１及び第２の導電体にそれぞれ接続されかつ上記発光管を支持している第１及び第２の導電性金属線とを備えており、
上記絶縁性片口金は、上記ランプ本体側の一端部が開口され、他端側の外底面から２本の端子ピンを突出してあり、
上記第２の導電性金属線は上記第１の導電性金属線より長く形成されていると共に、その本体が上記発光管並びに第１及び第２の上記の導電体の側方に配置されており、
上記第１及び第２の導電性金属線の他端部側の接続端子部は上記外管の固定端部に固定されていると共に、上記接続端子部の端部が固定端部から突出されかつ上記端子ピンに挿入されており、
上記第１及び第２の導電性金属線の各接続端子部の端部であって、上記外管の固定端部と絶縁性片口金の内底面との間に露出されている露出部分の対向間は、上記の補強兼用シート部材が充填されており、両露出部分が互いに絶縁状態に封止されている
ことを特徴とするメタルハライドランプ。
【請求項２】
消費電力は２０Ｗ又は３５Ｗであることを特徴とする請求項１記載のメタルハライドランプ。
【請求項３】
補強兼用シート部材は、絶縁性片口金内に開けられているすべての空間に充填されていることを特徴とする請求項１又は請求項２記載のメタルハライドランプ。
【請求項４】
外管内に位置している第２の導電性金属線の他端部であって第１の導電性金属線の他端部に対向する部分は、絶縁性管によって被覆されていることを特徴とする請求項１、請求項２又は請求項３記載のメタルハライドランプ。
【発明の詳細な説明】
【技術分野】
【０００１】
この発明は、店舗や室外装飾などの照明に用いられる発光管を有しているメタルハライドランプに関するものである。
【背景技術】
【０００２】
セラミック製の発光管を有しているメタルハライドランプとして、市販されているコーニンクレッカ  フィリップス  エレクトロニクス製のＣＤＭ−Ｔ（商品名）（以下「市販品１」という。）は、これまでの石英管を使用したハライドランプと比較してコンパクトでハイパワーを得ることができると共に、長寿命を確保できることから、店舗や施設照明用として広く利用されている。
市販品１であるメタルハライドランプの構造を図５及び図６を参照して説明する。
メタルハライドランプＬａはランプ本体１と絶縁性片口金２とからなる片口金タイプの構造である。ランプ本体１は、その外観を５０〜６０％の紫外線をカットするガラスを使用している外管４で構成されており、この外管内に発光管５を配置し、発光管５内の両側に対向して電極６，７を設けている。各電極６，７を有している第１及び第２の導電体８，９には第１及び第２の導電性金属線１０，１１を接続して、これらの導電性金属線によって発光管５を固定支持している。第１の導電性金属線１０は下端部側が接続端子部を形成している導電板１２及び導電線１４であり、第２の導電性金属線１１は下端部側が接続端子部を形成している導電板１３及び導電線１５となっている。導電板１２，１３及び導電線１４，１５は外管４の固定端部４ａに固定的に保持されている。第１及び第２の導電性金属線１０，１１の導電線１４，１５の下端部が外管４の固定端部４ａ外に引き出されている。絶縁性片口金２はセラミックなどの絶縁性部材によって上端開口のケース状に形成され、その外底面から２本の端子ピン１６，１７が突出されている。外管４の固定端部４ａ外に引き出されている導電線１４，１５の下端部は２本の端子ピン１６，１７内に導かれ、ランプ本体１と絶縁性片口金２とが結合されている。両者の結合補強のために、絶縁性片口金２の対向する内壁と外管４の端部との間の２ヵ所の隙間にセメントからなる補強部材１９を充填している。
メタルハライドランプＬａを使用する場合には、絶縁性片口金２の端子ピン１６，１７をソケット（ホルダ）のピン挿入孔に差し入れて、このソケットをイグナイターを介して電子安定器（インバータ）に接続し又はイグナイターを組み込んである電子安定器（インバータ）に直接接続する。
メタルハライドランプＬａには消費電力が２０Ｗ、３５Ｗ、７０Ｗ、１５０Ｗ、２００Ｗなどのものが発売されている。
また市販されているコーニンクレッカ  フィリップス  エレクトロニクス製のＣＤＭ−ＴＤ（商品名）（以下「市販品２」という。）は両口金タイプのものであり、両側には上記片口金タイプ（市販品１）のような絶縁性の口金を備えていないが、その他の構造は片口金タイプと実質的に同一である。
【特許文献１】特表２００３−５１４３６６公報
【特許文献２】特開２００３−１８７７４４号公報
【発明の開示】
【発明が解決しようとする課題】
【０００３】
従来、市販品１及び市販品２その他のメタルハライドランプは始動や再始動時間が長くなり、イグナイターを使用しても瞬時点灯は実際上困難であることが認識されていた。
そこで、本願の発明者はサイン波回路を使用したイグナイター回路を開発し、これを組み込んで新たな回路構成による電子安定器に、前述した片口金タイプのメタルハライドランプ（市販品１）及び両口金タイプのメタルハライドランプ（市販品２）をそれぞれ接続して実験した。
実験の結果、次のことが判明した。
両口金タイプハライドランプ（市販品２）については瞬時点灯が可能であったが、２０Ｗや３５Ｗなどのような消費電力の低い片口金タイプのメタルハライドランプ（市販品１）については瞬時点灯が不可能であった。実験を繰り返して、その原因を究明したところ、高電圧が絶縁性片口金内で放電子点灯が不可能となることに起因することであると推察され、その構造上では図６に示すように外管４の固定端部４ａから絶縁性片口金２内に露出され導電線１４，１５の露出部分１４ａ，１５ａの対向間に空間Ｓが開けられていることによるものと推察される。
本願の発明者は、片口金タイプのメタルハライドランプの構造について工夫することにより、この種のタイプのものであっても新たに開発した電子安定器を使用した場合に、瞬時点灯に対応することができるメタルハライドランプを完成した。
この発明の目的は、簡単な構成によって瞬時点灯に対応することができるメタルハライドランプを提供することにある。
【課題を解決するための手段】
【０００４】
この発明の第１の特徴は、消費電力が１００Ｗ以下であって、一端に２本の端子ピンを備えている絶縁性片口金型メタルハライドランプにおいて、ランプ本体と、このランプ本体と接続されかつこれを支持する絶縁性片口金と、この絶縁性片口金内に充填され上記ランプ本体の支持を補強するための化学絶縁性の補強兼用シート部材とを具備していることにある。上記ランプ本体は、外管と、この外管内に設けてあって、内部が対向する電極を有しているセラミック放電室である発光管と、一方の電極に通じている第１の導電体及び上記他方の電極に通じている第２の導電体と、一端部側で上記第１及び第２の導電体にそれぞれ接続されかつ上記発光管を支持している第１及び第２の導電性金属線とを備えており、上記絶縁性片口金は、上記ランプ本体側の一端部が開口され、他端側の外底面から２本の端子ピンを突出してあり、上記第２の導電性金属線は上記第１の導電性金属線より長く形成されていると共に、その本体が上記発光管並びに第１及び第２の上記の導電体の側方に配置されており、上記第１及び第２の導電性金属線の他端部側の接続端子部は上記外管の固定端部に固定されていると共に、上記接続端子部の端部が固定端部から突出されかつ上記端子ピンに挿入されており、上記第１及び第２の導電性金属線の各接続端子部の端部であって、上記外管の固定端部と絶縁性片口金の内底面との間に露出されている露出部分の対向間は、上記の補強兼用シート部材が充填されており、両露出部分が互いに絶縁状態に封止されている。
この発明の第２の特徴は、上記第１の特徴を前提として、消費電力が２０Ｗ又は３５Ｗであることにある。
この発明の第３の特徴は、上記第１又は第２の特徴を前提として、上記補強兼用シート部材が、絶縁性片口金内に開けられているすべての空間に充填されていることにある。
この発明の第４の特徴は、上記第１、第２又は第３の特徴を前提として、外管内に位置している第２の導電性金属線の他端部であって第１の導電性金属線の他端部に対向する部分は、絶縁性管によって被覆されていることにある。
【発明の効果】
【０００５】
この発明によれば、簡単な構成により瞬間点灯に対応することができるメタルハライドランプを提供することができる。
【発明を実施するための最良の形態】
【０００６】
この発明に係るメタルハライドランプについて図１〜図４を参照して説明する。
なお、メタルハライドランプＬにおける各構成部分に関して、前述したメタルハライドランプＬａにおける各構成部分と共通するものにあっては、符号を一致させて、対応関係を明確にしている。
メタルハライドランプＬは、消費電力が１００Ｗ以下（この例では２０Ｗ）であって、一端に２本の端子ピンを備えている絶縁性片口金型であり、ランプ本体１と、このランプ本体と接続されている絶縁性片口金２と、この絶縁性片口金内に充填されている化学絶縁性の補強兼用シール部材３とからなる。
【０００７】
図１〜図３に示すランプ本体１において、外管４内には本体がセラミック製である発光管５を設けてある。発光管５はその内部が発光物質である金属ハロゲン化物質が封入されているセラミック放電室となっており、室内上下に対向して電極６，７を設けてある。一方（図１下方）の電極６は第１の導電体８の上端部に設けられており、他方の電極７は第２の導電体９の下端部に設けられている。一方の第１の導電体８は、ステンレスワイヤなどからなる第１の導電性金属線１０の上端部に接続され、他方の第２の導電体９は、ステンレスワイヤなどからなる第２の導電性金属線１１の上端部に接続されており、第１及び第２の導電性金属線が発光管５の支持手段を構成している。第１の導電性金属線１０は第１の導電体８の下方に配置されている。また図１に示すように、第２の導電性金属線１１は第１の導電性金属線１０より長く形成されていると共に、その本体は発光管５の側方に第１及び第２の導電体８，９に沿って配置されている。図１に示すように外管４内に位置している第２の導電性金属線１１の下端部であって第１の導電性金属線１０に対向する部分は、ガラスパイプなどからなる絶縁性管１８によって被覆されている。第１及び第２の導電性金属線１０，１１の下端部は外管４の固定端部４ａ内に挿入されて固定されている。第１及び第２の導電性金属線１０，１１の下端側は外管４の固定端部４ａ内に配置されている導電板１２，１３と、第１及び第２の導電性金属線と同じ材質の導電線１４，１５とを設けてある。導電板１２，１３と導電線１４，１５とは第１及び第２の導電性金属線１０，１１の一部として接続端子部を構成している。導電線１４，１５の下端部側は外管４の固定端部４ａの下端面から下方に突出されて絶縁性片口金２内に延びている。
【０００８】
絶縁性片口金２はセラミックなどのような絶縁部材によって形成され、ランプ本体１側（図１上側）の一端部が開口され、他端側の外底面から２本の端子ピン１６，１７が突出されている。絶縁性片口金２は図２上下両側の側壁の中央部に係止凹部２ａを形成すると共に、各係止凹部２ａの真下に切欠き掛け止め２ｂ（図４）を設けてある。絶縁性片口金２は図４に示すソケット２０に嵌め込み可能である。嵌め込み時には、端子ピン１６，１７をソケット２０に設けてあるピン挿入孔（図示せず。）に差し入れて、ソケットに取り付けてある対のフック２１の掛止め部２１ａを絶縁性片口金２の係止凹部２ａに係合させ、双方のフックで絶縁性片口金２を挟むことによって、この絶縁性片口金がソケットから離脱することを抑制している。
ソケット２０からは端子ピン１６，１７に電気的に接続可能である引き出し線２２，２３が引き出されており、両引き出し線は発明者が瞬間点灯を可能にするために新たに開発した回路が組み込まれている電子安定器であるインバータ２４に接続されている。
【０００９】
図１〜図３に示すように、化学絶縁性の補強兼用シート部材３はシリコンなどの化学絶縁材からなり、絶縁性片口金２内に充填されランプ本体１の支持を補強している。そして導電線１４，１５の下端部であって、外管４の固定端部４ａの下面から絶縁性片口金２の内底面に達する露出部分１４ａ，１５ａの対向間の空間は、補強兼用シート部材３によって満たされ、露出部分同士は互いに絶縁状態にシールされている。
【００１０】
メタルハライドランプＬの使用方法について説明する。
図４に示すように、ランプ本体１をソケット２０に差し入れて、フック２１でランプ本体を挟むことによりソケットとの結合は補強される。この状態でソケット２０をインバータ２４に接続してランプ本体１に電流を供給することにより、発光管５内で放電がされ、発光（点灯）される。
消灯後に、直ちにスイッチを入れて、高熱高温度状態にあるランプ本体１に電流を供給しても点灯が可能となる。
【００１１】
ランプ本体１の消費電力は低いものであれば良く、２０Ｗに限られず、３５Ｗ以上又はそれ以下であっても良い。
補強兼用シート部材３は、図１〜図３に示す例では、絶縁性片口金２内に開けられているすべての空間に充填されているので、絶縁性片口金に露出されている導電線１４，１５の下端部分（露出部分１４ａ，１５ａ）のシールが確実になり、絶縁性が高められ、そしてランプ本体１の支持の補強が強化される利点があるが、必ずしも図示する例に限られず、絶縁性を確保するために、充填する空間は少なくもと導電線１４，１５の露出部分１４ａ，１５ａの対向する空間だけであっても良い。
第１及び第２の導電性金属線１０，１１の接続端子部として、図示の例では独立部材である導電板１２，１３及び導電線１４，１５で構成しているが、独立部材に代えて導電性金属線を延長して構成するものであっても良い。
【図面の簡単な説明】
【００１２】
【図１】この発明に係るメタルハライドランプの一部切欠正面図である。
【図２】図１のＩＩ−ＩＩ線拡大断面図である。
【図３】この発明に係るメタルハライドランプの一部切欠側面図である。
【図４】この発明に係るメタルハライドランプの使用状態を分解して示す一部切欠正面図である。
【図５】市販品１であるメタルハライドランプの一部切欠正面図である。
【図６】図５のＶＩ−ＶＩ線拡大断面図である。
【符号の説明】
【００１３】
Ｌ                    メタルハライドランプ
１                    ランプ本体
２                    絶縁性片口金
３                    補強兼用シール部材
４                    外管
４ａ                  固定端部
５                    発光管
６，７                電極
８                    第１の導電体
９                    第２の導電体
１０                  第１の導電性金属線
１１                  第２の導電性金属線
１２，１３            導電板（接続端子部）
１４，１５            導電線（接続端子部）
１４ａ，１５ａ        露出部分
１６，１７            端子ピン
１８                  絶縁性管
【図１】
2006331932.tif 000003
【図２】
2006331932.tif 000004
【図３】
2006331932.tif 000005
【図４】
2006331932.tif 000006
【図５】
2006331932.tif 000007
【図６】
2006331932.tif 000008
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
消費電力が１００Ｗ以下であって、一端に２本の端子ピンを備えている絶縁性片口金型メタルハライドランプにおいて、
ランプ本体と、このランプ本体と接続されかつこれを支持する絶縁性片口金と、この絶縁性片口金内に充填され上記ランプ本体の支持を補強するための化学絶縁性の補強兼用シール部材とを具備しており、
上記ランプ本体は、外管と、この外管の一端部に形成してある固定端部と、上記外管内に設けてあって、内部が対向する電極を有しているセラミック放電室である発光管と、一方の電極に通じている第１の導電体及び上記他方の電極に通じている第２の導電体と、一端部側で上記第１及び第２の導電体にそれぞれ接続されかつ上記発光管を支持している第１及び第２の導電性金属線とを備えており、
上記絶縁性片口金は、一端側の外底面から２本の端子ピンを突出し、上記ランプ本体側の他端部が開口され、両側壁に係止凹部を形成してあり、
上記第２の導電性金属線は上記第１の導電性金属線より長く形成されていると共に、その本体が上記発光管並びに第１及び第２の上記の導電体の側方に配置されており、
上記第１及び第２の導電性金属線の他端部側の接続端子部は上記外管の固定端部に固定されていると共に、上記接続端子部の端部が固定端部から突出されかつ上記端子ピンに挿入されており、
上記第１及び第２の導電性金属線の各接続端子部の端部であって、上記外管の固定端部と絶縁性片口金の内底面との間に露出されている露出部分の対向間は、上記の補強兼用シール部材が充填されており、両露出部分が互いに絶縁状態に封止されており、
上記外管の固定端部の一端部側が上記絶縁性片口金内に挿入されかつ他端部側が絶縁性片口金より露出されており、
上記ランプ本体は、ソケットに上記端子ピンを介して接続されると共に、上記絶縁性片口金の係止凹部がソケットのフックに掛け止め可能である
ことを特徴とするメタルハライドランプ。
【請求項２】
消費電力は２０Ｗ又は３５Ｗであることを特徴とする請求項１記載のメタルハライドランプ。
【請求項３】
補強兼用シール部材は、絶縁性片口金内に開けられているすべての空間に充填されていることを特徴とする請求項１又は請求項２記載のメタルハライドランプ。
【請求項４】
外管内に位置している第２の導電性金属線の他端部であって第１の導電性金属線の他端部に対向する部分は、絶縁性管によって被覆されていることを特徴とする請求項１、請求項２又は請求項３記載のメタルハライドランプ。
【手続補正２】
【補正対象書類名】明細書
【補正対象項目名】全文
【補正方法】変更
【補正の内容】
【発明の詳細な説明】
【技術分野】
【０００１】
この発明は、店舗や室外装飾などの照明に用いられる発光管を有しているメタルハライドランプに関するものである。
【背景技術】
【０００２】
セラミック製の発光管を有しているメタルハライドランプとして、市販されているコーニンクレッカ  フィリップス  エレクトロニクス製のＣＤＭ−Ｔ（商品名）（以下「市販品１」という。）は、これまでの石英管を使用したハライドランプと比較してコンパクトでハイパワーを得ることができると共に、長寿命を確保できることから、店舗や施設照明用として広く利用されている。
市販品１であるメタルハライドランプの構造を図５及び図６を参照して説明する。
メタルハライドランプＬａはランプ本体１と絶縁性片口金２とからなる片口金タイプの構造である。ランプ本体１は、その外観を５０〜６０％の紫外線をカットするガラスを使用している外管４で構成されており、この外管内に発光管５を配置し、発光管５内の両側に対向して電極６，７を設けている。各電極６，７を有している第１及び第２の導電体８，９には第１及び第２の導電性金属線１０，１１を接続して、これらの導電性金属線によって発光管５を固定支持している。第１の導電性金属線１０は下端部側が接続端子部を形成している導電板１２及び導電線１４であり、第２の導電性金属線１１は下端部側が接続端子部を形成している導電板１３及び導電線１５となっている。導電板１２，１３及び導電線１４，１５は外管４の固定端部４ａに固定的に保持されている。第１及び第２の導電性金属線１０，１１の導電線１４，１５の下端部が外管４の固定端部４ａ外に引き出されている。絶縁性片口金２はセラミックなどの絶縁性部材によって上端開口のケース状に形成され、その外底面から２本の端子ピン１６，１７が突出されている。外管４の固定端部４ａ外に引き出されている導電線１４，１５の下端部は２本の端子ピン１６，１７内に導かれ、ランプ本体１と絶縁性片口金２とが結合されている。両者の結合補強のために、絶縁性片口金２の対向する内壁と外管４の端部との間の２ヵ所の隙間にセメントからなる補強部材１９を充填している。
メタルハライドランプＬａを使用する場合には、絶縁性片口金２の端子ピン１６，１７をソケット（ホルダ）のピン挿入孔に差し入れて、このソケットをイグナイターを介して電子安定器（インバータ）に接続し又はイグナイターを組み込んである電子安定器（インバータ）に直接接続する。
メタルハライドランプＬａには消費電力が２０Ｗ、３５Ｗ、７０Ｗ、１５０Ｗ、２００Ｗなどのものが発売されている。
また市販されているコーニンクレッカ  フィリップス  エレクトロニクス製のＣＤＭ−ＴＤ（商品名）（以下「市販品２」という。）は両口金タイプのものであり、両側には上記片口金タイプ（市販品１）のような絶縁性の口金を備えていないが、その他の構造は片口金タイプと実質的に同一である。
【特許文献１】特表２００３−５１４３６６公報
【特許文献２】特開２００３−１８７７４４号公報
【発明の開示】
【発明が解決しようとする課題】
【０００３】
従来、市販品１及び市販品２その他のメタルハライドランプは始動や再始動時間が長くなり、イグナイターを使用しても瞬時点灯は実際上困難であることが認識されていた。
そこで、本願の発明者はサイン波回路を使用したイグナイター回路を開発し、これを組み込んで新たな回路構成による電子安定器に、前述した片口金タイプのメタルハライドランプ（市販品１）及び両口金タイプのメタルハライドランプ（市販品２）をそれぞれ接続して実験した。
実験の結果、次のことが判明した。
両口金タイプハライドランプ（市販品２）については瞬時点灯が可能であったが、２０Ｗや３５Ｗなどのような消費電力の低い片口金タイプのメタルハライドランプ（市販品１）については瞬時点灯が不可能であった。実験を繰り返して、その原因を究明したところ、高電圧が絶縁性片口金内で放電子点灯が不可能となることに起因することであると推察され、その構造上では図６に示すように外管４の固定端部４ａから絶縁性片口金２内に露出され導電線１４，１５の露出部分１４ａ，１５ａの対向間に空間Ｓが開けられていることによるものと推察される。
本願の発明者は、片口金タイプのメタルハライドランプの構造について工夫することにより、この種のタイプのものであっても新たに開発した電子安定器を使用した場合に、瞬時点灯に対応することができるメタルハライドランプを完成した。
この発明の目的は、簡単な構成によって瞬時点灯に対応することができるメタルハライドランプを提供することにある。
【課題を解決するための手段】
【０００４】
この発明の第１の特徴は、消費電力が１００Ｗ以下であって、一端に２本の端子ピンを備えている絶縁性片口金型メタルハライドランプにおいて、ランプ本体と、このランプ本体と接続されかつこれを支持する絶縁性片口金と、この絶縁性片口金内に充填され上記ランプ本体の支持を補強するための化学絶縁性の補強兼用シール部材とを具備していることにある。上記ランプ本体は、外管と、この外管の一端部に形成してある固定端部と、上記外管内に設けてあって、内部が対向する電極を有しているセラミック放電室である発光管と、一方の電極に通じている第１の導電体及び上記他方の電極に通じている第２の導電体と、一端部側で上記第１及び第２の導電体にそれぞれ接続されかつ上記発光管を支持している第１及び第２の導電性金属線とを備えており、上記絶縁性片口金は、一端側の外底面から２本の端子ピンを突出し、上記ランプ本体側の他端部が開口され、両側壁に係止凹部を形成してあり、上記第２の導電性金属線は上記第１の導電性金属線より長く形成されていると共に、その本体が上記発光管並びに第１及び第２の上記の導電体の側方に配置されており、上記第１及び第２の導電性金属線の他端部側の接続端子部は上記外管の固定端部に固定されていると共に、上記接続端子部の端部が固定端部から突出されかつ上記端子ピンに挿入されており、上記第１及び第２の導電性金属線の各接続端子部の端部であって、上記外管の固定端部と絶縁性片口金の内底面との間に露出されている露出部分の対向間は、上記の補強兼用シール部材が充填されており、両露出部分が互いに絶縁状態に封止されており、上記外管の固定端部の一端部側が上記絶縁性片口金内に挿入されかつ他端部側が絶縁性片口金より露出されており、上記ランプ本体は、ソケットに上記端子ピンを介して接続されると共に、上記絶縁性片口金の係止凹部がソケットのフックに掛け止め可能である。
この発明の第２の特徴は、上記第１の特徴を前提として、消費電力が２０Ｗ又は３５Ｗであることにある。
この発明の第３の特徴は、上記第１又は第２の特徴を前提として、上記補強兼用シール部材が、絶縁性片口金内に開けられているすべての空間に充填されていることにある。
この発明の第４の特徴は、上記第１、第２又は第３の特徴を前提として、外管内に位置している第２の導電性金属線の他端部であって第１の導電性金属線の他端部に対向する部分は、絶縁性管によって被覆されていることにある。
【発明の効果】
【０００５】
この発明によれば、簡単な構成により瞬間点灯に対応することができるメタルハライドランプを提供することができる。
【発明を実施するための最良の形態】
【０００６】
この発明に係るメタルハライドランプについて図１〜図４を参照して説明する。
なお、メタルハライドランプＬにおける各構成部分に関して、前述したメタルハライドランプＬａにおける各構成部分と共通するものにあっては、符号を一致させて、対応関係を明確にしている。
メタルハライドランプＬは、消費電力が１００Ｗ以下（この例では２０Ｗ）であって、一端に２本の端子ピンを備えている絶縁性片口金型であり、ランプ本体１と、このランプ本体と接続されている絶縁性片口金２と、この絶縁性片口金内に充填されている化学絶縁性の補強兼用シール部材３とからなる。
【０００７】
図１〜図３に示すランプ本体１において、外管４内には本体がセラミック製である発光管５を設けてある。発光管５はその内部が発光物質である金属ハロゲン化物質が封入されているセラミック放電室となっており、室内上下に対向して電極６，７を設けてある。一方（図１下方）の電極６は第１の導電体８の上端部に設けられており、他方の電極７は第２の導電体９の下端部に設けられている。一方の第１の導電体８は、ステンレスワイヤなどからなる第１の導電性金属線１０の上端部に接続され、他方の第２の導電体９は、ステンレスワイヤなどからなる第２の導電性金属線１１の上端部に接続されており、第１及び第２の導電性金属線が発光管５の支持手段を構成している。第１の導電性金属線１０は第１の導電体８の下方に配置されている。また図１に示すように、第２の導電性金属線１１は第１の導電性金属線１０より長く形成されていると共に、その本体は発光管５の側方に第１及び第２の導電体８，９に沿って配置されている。図１に示すように外管４内に位置している第２の導電性金属線１１の下端部であって第１の導電性金属線１０に対向する部分は、ガラスパイプなどからなる絶縁性管１８によって被覆されている。第１及び第２の導電性金属線１０，１１の下端部は外管４の固定端部４ａ内に挿入されて固定されている。第１及び第２の導電性金属線１０，１１の下端側は外管４の固定端部４ａ内に配置されている導電板１２，１３と、第１及び第２の導電性金属線と同じ材質の導電線１４，１５とを設けてある。導電板１２，１３と導電線１４，１５とは第１及び第２の導電性金属線１０，１１の一部として接続端子部を構成している。導電線１４，１５の下端部側は外管４の固定端部４ａの下端面から下方に突出されて絶縁性片口金２内に延びている。
【０００８】
絶縁性片口金２はセラミックなどのような絶縁部材によって形成され、ランプ本体１側（図１上側）の一端部が開口され、他端側の外底面から２本の端子ピン１６，１７が突出されている。絶縁性片口金２は図２上下両側の側壁の中央部に係止凹部２ａを形成すると共に、各係止凹部２ａの真下に切欠き掛け止め２ｂ（図４）を設けてある。絶縁性片口金２は図４に示すソケット２０に嵌め込み可能である。嵌め込み時には、端子ピン１６，１７をソケット２０に設けてあるピン挿入孔（図示せず。）に差し入れて、ソケットに取り付けてある対のフック２１の掛止め部２１ａを絶縁性片口金２の係止凹部２ａに係合させ、双方のフックで絶縁性片口金２を挟むことによって、この絶縁性片口金がソケットから離脱することを抑制している。
ソケット２０からは端子ピン１６，１７に電気的に接続可能である引き出し線２２，２３が引き出されており、両引き出し線は発明者が瞬間点灯を可能にするために新たに開発した回路が組み込まれている電子安定器であるインバータ２４に接続されている。
【０００９】
図１〜図３に示すように、化学絶縁性の補強兼用シール部材３はシリコンなどの化学絶縁材からなり、絶縁性片口金２内に充填されランプ本体１の支持を補強している。そして導電線１４，１５の下端部であって、外管４の固定端部４ａの下面から絶縁性片口金２の内底面に達する露出部分１４ａ，１５ａの対向間の空間は、補強兼用シール部材３によって満たされ、露出部分同士は互いに絶縁状態にシールされている。
【００１０】
メタルハライドランプＬの使用方法について説明する。
図４に示すように、ランプ本体１をソケット２０に差し入れて、フック２１でランプ本体を挟むことによりソケットとの結合は補強される。この状態でソケット２０をインバータ２４に接続してランプ本体１に電流を供給することにより、発光管５内で放電がされ、発光（点灯）される。
消灯後に、直ちにスイッチを入れて、高熱高温度状態にあるランプ本体１に電流を供給しても点灯が可能となる。
【００１１】
ランプ本体１の消費電力は低いものであれば良く、２０Ｗに限られず、３５Ｗ以上又はそれ以下であっても良い。
補強兼用シール部材３は、図１〜図３に示す例では、絶縁性片口金２内に開けられているすべての空間に充填されているので、絶縁性片口金に露出されている導電線１４，１５の下端部分（露出部分１４ａ，１５ａ）のシールが確実になり、絶縁性が高められ、そしてランプ本体１の支持の補強が強化される利点があるが、必ずしも図示する例に限られず、絶縁性を確保するために、充填する空間は少なくとも導電線１４，１５の露出部分１４ａ，１５ａの対向する空間だけであっても良い。
第１及び第２の導電性金属線１０，１１の接続端子部として、図示の例では独立部材である導電板１２，１３及び導電線１４，１５で構成しているが、独立部材に代えて導電性金属線を延長して構成するものであっても良い。
【図面の簡単な説明】
【００１２】
【図１】この発明に係るメタルハライドランプの一部切欠正面図である。
【図２】図１のＩＩ−ＩＩ線拡大断面図である。
【図３】この発明に係るメタルハライドランプの一部切欠側面図である。
【図４】この発明に係るメタルハライドランプの使用状態を分解して示す一部切欠正面図である。
【図５】市販品１であるメタルハライドランプの一部切欠正面図である。
【図６】図５のＶＩ−ＶＩ線拡大断面図である。
【符号の説明】
【００１３】
Ｌ                    メタルハライドランプ
１                    ランプ本体
２                    絶縁性片口金
３                    補強兼用シール部材
４                    外管
４ａ                  固定端部
５                    発光管
６，７                電極
８                    第１の導電体
９                    第２の導電体
１０                  第１の導電性金属線
１１                  第２の導電性金属線
１２，１３            導電板（接続端子部）
１４，１５            導電線（接続端子部）
１４ａ，１５ａ        露出部分
１６，１７            端子ピン
１８                  絶縁性管